(57)【要約】
【課題】  分包紙を二つ折りし易いとともに、薬剤分包装置へのセット作業を行い易い分包紙ロールを提供する。
【解決手段】  包装紙ロール１において、分包紙３の巻き終わり側の端部３ａには、先端側の２箇所の角部４をそれぞれ分包紙３の中心線５に沿うように折り曲げて、２枚の折曲げ片６を形成し、分包紙３の巻き終わり側の端部３ａは直角二等辺三角形をなすように形成している。２枚の折曲げ片６の合わせ線７が、分包紙３の中心線５に沿って形成されているので、その合わせ線７を目安に二つ折りすることにより、分包紙３を容易に、しかもきれいに二つ折りすることができる。その二つ折りされた分包紙３の先端部は、三角形の頂点となっていて、先細形状となっているとともに、２枚の折曲げ片６があって、その分、剛性も高くなっているため、その分包紙３の先端部を一対のローラ間に通す際に通し易い。
【選択図】  図１
0003100996.tif 000002
【実用新案登録請求の範囲】
【請求項１】
巻芯の外周部に長尺なシート状の分包紙をロール状に巻回してなる分包紙ロールであって、前記分包紙の巻き終わり側の端部に、２箇所の角部を当該分包紙の幅方向の中心を通る中心線に沿うように折り曲げて２枚の折曲げ片を形成することにより、先端部が直角をなす直角二等辺三角形をなすように形成したことを特徴とする分包紙ロール。
【請求項２】
２枚の折曲げ片は分包紙本体に接着されていることを特徴とする請求項１記載の分包紙ロール。
【考案の詳細な説明】
【技術分野】
【０００１】
本考案は、巻芯の外周部に長尺なシート状の分包紙をロール状に巻回してなる分包紙ロールに関する。
【背景技術】
【０００２】
従来より、粉薬などの薬剤を包装する分包紙においては、巻芯の外周部にロール状に巻回した形態（分包紙ロール）で販売され、薬剤分包装置にセットされて使用されるものがる。薬剤分包装置においては、分包紙ロールから引き出された分包紙を幅方向に二つ折り（幅方向の中心を通る中心線に沿って二つ折り）し、その二つ折りされた分包紙内に薬剤を投入するとともに、ヒートシール用の一対のローラ間を通すことにより、薬剤が収容された周囲がヒートシール（熱溶着）される。このようにして、薬剤が包装された包装部が連続して形成される。この種の薬剤分包装置（薬剤包装装置）は、例えば特許文献１に開示されている。
【特許文献１】特開２００２−０１７８１５
【考案の開示】
【考案が解決しようとする課題】
【０００３】
ところで、この種の分包紙ロールにおいて、販売形態では、ロール状に巻回された分包紙の巻き終わり側の端部は、幅方向に直線状に切断された形態となっている。このような分包紙ロールを薬剤分包装置にセットする場合、分包紙ロールの巻き終わり側の端部を引き出して、分包紙の幅が半分となるように、幅方向に二つ折りにするとともに、その二つ折りした先端部を、ヒートシール用の一対のローラ間に通す必要がある。
【０００４】
しかしながら、従来の分包紙ロールにおいては、分包紙を二つ折りする際に、分包紙の側縁部同士を合わせるようにして二つ折りしていたが、二つ折りし難いものであった。また、一対のローラ間を通す際にも通し難いものであり、総じて、セット作業が行い難いという問題点があった。
本考案は、上記問題点を解決するためになされたもので、分包紙を二つ折りし易いとともに、薬剤分包装置へのセット作業を行い易い分包紙ロールを提供することを目的とする。
【課題を解決するための手段】
【０００５】
上記の目的を達成するために、本考案の分包紙ロールは、分包紙の巻き終わり側の端部に、２箇所の角部をそれぞれ当該分包紙の幅方向の中心を通る中心線に沿うように折り曲げて２枚の折曲げ片を形成することにより、先端部が直角をなす直角二等辺三角形をなすように形成したことを特徴とする。
【考案の効果】
【０００６】
本考案の分包紙ロールを薬剤分包装置にセットする際に、分包紙ロールから分包紙の巻き終わり側の端部を引き出すと、その端部には、２枚の折曲げ片の合わせ線が、分包紙の中心線に沿って形成されている。従って、その合わせ線を目安に二つ折りすることにより、分包紙を容易に、しかもきれいに二つ折りすることができる。また、その二つ折りされた分包紙の先端部は、三角形の頂点となっていて、先細形状となっているとともに、２枚の折曲げ片があって、その分、剛性も高くなっているため、その分包紙の先端部を一対のローラ間に通す際に通し易い。総じて、薬剤分包装置へのセット作業が行い易くなる。
【考案を実施するための最良の形態】
【０００７】
以下、本考案の一実施形態について図面を参照して説明する。
まず、図１には、本考案の包装紙ロール１が示されている。この包装紙ロール１は、円筒状をなす巻芯２の外周部に、長尺なシート状をなす分包紙３をロール状に巻回して構成されている。この場合、その分包紙３の巻き終わり側の端部３ａには、先端側の２箇所の角部４をそれぞれ分包紙３の幅方向の中心を通る中心線５に沿うように折り曲げて、直角二等辺三角形からなる２枚の折曲げ片６を形成している。２枚の折曲げ片６の合わせ線７が、上記中心線５に沿って形成されている。これにより、分包紙３の巻き終わり側の端部３ａは、先端部の角度Ａが直角（９０度）をなす直角二等辺三角形をなすように形成されている。２枚の折曲げ片６は、分包紙本体に接着されている。本考案の分包紙ロール１は、このような形態で販売される。
【０００８】
図３には、薬剤分包装置１０の概略構成が示されている。上記分包紙ロール１は、薬剤分包装置１０の支持軸１１の外周部に巻芯２を介して回転可能に装着される。分包紙ロール１から引き出された分包紙３は、ガイドローラ１２を介して一対のガイドローラ１３，１４間に挟持される状態で通されている。一対のガイドローラ１３，１４の引き出し側（図３において左側）には折曲版１５が配設されている。この折曲版１５は、ガイドローラ１３，１４から引き出された分包紙３を幅方向に２つ折りするものである。折曲版１５の上方には薬剤投入用のホッパ１６が配設されていて、二つ折りされた分包紙３内に、そのホッパ１６から薬剤が所定量ずつ投入されるようになっている。
【０００９】
折曲版１５の引き出し側には、ヒートシール用の一対の加熱ローラ１７（図３には一方の加熱ローラ１７のみ示す）が配設されていて、二つ折りされた分包紙３がこれら一対の加熱ローラ１７間に通されている。一対の加熱ローラ１７は、薬剤を収容した二つ折り状態の分包紙３をコ字状にヒートシール（ヒートシール部１８参照）するものであり、そのうちの一方のローラ１７は、送りモータ１９により回転駆動されるようになっている。送りモータ１９により加熱ローラ１７が送り出し方向へ回転されることに基づき、分包紙３が矢印Ｂ１方向へ引っ張られることに基づき分包紙ロール１が矢印Ｂ２方向へ回転され、これに伴い分包紙ロール１から分包紙３が順次引き出される。上記一対の加熱ローラ１７には、ヒートシール機能の他に、分包紙３にミシン目２０を形成する機能も設けられている。
【００１０】
さて、上記薬剤分包装置１０において、分包紙ロール１に巻回された分包紙３が無くなると、この分包紙ロール１を交換する必要がある。この場合、交換した新しい分包紙ロール１の分包紙３を、図３のように引き回してセットする必要がある。まず、分包紙ロール１の分包紙３の巻き終わり側の端部３ａを、上記ガイドローラ１２の上面を通した後、一対のガイドローラ１３，１４間に通す。このとき、本考案の分包紙３の巻き終わり側の端部３ａは、図１に示すように先端部が三角形の頂点で先細形状であり、しかも２枚の折曲げ片６，６が折り曲げられていて、剛性が高くなっているので、それら一対のガイドローラ１３，１４間に容易に通すことができる。
【００１１】
次に、分包紙３の巻き終わり側の端部３ａは、一対の加熱ローラ１７間にも通す必要がある。このとき、分包紙３の巻き終わり側の端部３ａは、幅方向に二つ折りする必要がある。ここで、本考案の分包紙３の巻き終わり側の端部３ａには２つの折曲げ片６が形成されていて、２枚の折曲げ片６の合わせ線７が、分包紙３の中心線５に沿って形成されている。従って、その合わせ線７を目安に分包紙３を二つ折りすることにより、分包紙３を容易に、しかもきれいに二つ折りすることができる（図２参照）。また、その二つ折りされた分包紙３の先端部は、三角形の頂点となって先細形状となっているとともに、２枚の折曲げ片６があって、その分、剛性も高くなっているため、その分包紙３の先端部を一対の加熱ローラ１７間に容易に通すことができる。従って、総じて、本考案の分包紙ロール１は、薬剤分包装置１０へのセット作業が行い易くなる。
【００１２】
また、この場合、各折曲げ片６は包装紙３側に接着されているから、扱い易い。
【図面の簡単な説明】
【００１３】
【図１】本考案の一実施形態を示す分包紙ロールの斜視図
【図２】分包紙の端部を二つ折りにした状態の要部の斜視図
【図３】薬剤分包装置の概略構成を示す図
【符号の説明】
【００１４】
図面中、１は分包紙ロール、２は巻芯、３は分包紙、３ａは巻き終わり側の端部、４は角部、５は中心線、６は折曲げ片、７は合わせ線、１０は薬剤分包装置、１３，１４はガイドローラ、１６はホッパ、１７は加熱ローラ、１８はヒートシール部、２０はミシン目を示す。
【図１】
0003100996.tif 000003
【図２】
0003100996.tif 000004
【図３】
0003100996.tif 000005